(57)【要約】【課題】室外へ漏れる音を低減することができる給排気ユニットを提供する。【解決手段】加湿給排気ユニット４は、室内から取り込まれた空気を室外へと排出させる排気運転と室外から取り込まれた空気を室内へと供給する給気運転とを行うことができる加湿給排気ユニットであって、通過経路Ｒ１を備える。通過経路Ｒ１は、給気運転時に室外から取り込まれた空気を室内へと導き、排気運転時に室内から取り込まれた空気を室外へと導く。そして、通過経路Ｒ１は通過部Ｒ２を有しており、この通過部Ｒ２は排気運転時に減音機構として機能する。【選択図】　　　　図１１
2004077084.tif 000002
【特許請求の範囲】
【請求項１】
室内から取り込まれた空気を室外へと排出させる排気運転と室外から取り込まれた空気を室内へと供給する給気運転とを行うことができる給排気ユニットであって、
給気運転時に室外から取り込まれた空気を室内へと導く第１通過経路（Ｒ１）と、
排気運転時に室内から取り込まれた空気を室外へと導く第２通過経路（Ｒ１）と、
を備え、
前記第１通過経路（Ｒ１）と前記第２通過経路（Ｒ１）とは少なくとも通過部（Ｒ２）を共有しており、前記通過部（Ｒ２）は排気運転時に減音機構として機能する、
給排気ユニット（４）。
【請求項２】
前記通過部（Ｒ２）には、排気運転時に減音機構として機能するフィルター（４１）が配置される、
請求項１に記載の給排気ユニット（４）。
【請求項３】
前記フィルター（４１）は、ハニカム構造を有する、
請求項２に記載の給排気ユニット（４）。
【請求項４】
前記フィルター（４１）は、５ｍｍ以上の厚さを有する、
請求項２または３に記載の給排気ユニット（４）。
【請求項５】
前記フィルター（４１）は、給気運転の際に、通過する空気中の水分を吸着し加熱されることにより水分を離脱して加湿空気を生成することができる加湿部材である、
請求項２から４のいずれかに記載の給排気ユニット（４）。
【請求項６】
室内から取り込まれ室外へと排出される空気の流れを生成する送風装置（４３）と、
室外へと排出される空気が通る排出口（４０ｃ）を有するケーシング（４０）と、
をさらに備え、
前記フィルター（４１）は、前記送風装置（４３）と前記排出口（４０ｃ）との間に配置される、
請求項２から５のいずれかに記載の給排気ユニット（４）。
【請求項７】
前記第１通過経路（Ｒ１）と前記第２通過経路（Ｒ１）とは同一である、
請求項１から６のいずれかに記載の給排気ユニット（４）。
【請求項８】
請求項１から７のいずれかに記載の給排気ユニット（４）を備える空気調和機（１）の室外機（３）。
【請求項９】
室内から取り込まれた空気を室外へと排出させる排気運転を行うことができる排気ユニット（４）であって、
室内から取り込まれた空気を室外へと送る送風装置（４３）と、
前記送風装置（４３）により送られる空気と共に伝わる音を低減する減音部（４１，Ｒ２）と、
室外へ排出される空気が通る排出口（４０ｃ）を有するケーシング（４０）と、
を備える排気ユニット（４）。
【発明の詳細な説明】
【０００１】
【発明の属する技術分野】
本発明は、室内から取り込まれた空気を室外へと排出させる排気運転と室外から取り込まれた空気を室内へと供給する給気運転とを行うことができる給排気ユニットと、空気調和機の室外機と、室内から取り込まれた空気を室外へと排出させる排気運転を行うことができる排気ユニットとに関する。
【０００２】
【従来の技術】
本願出願人は、室内から取り込まれた空気を室外へと排出させる排気運転と室外から取り込まれた空気を室内へと供給する給気運転とを行うことができる給排気ユニットの開発を進めている。
例えば、特願２００１−３７４７５９号明細書においては、エアコン等の空気調和機において加湿ユニット（給排気ユニット）を備えるものが提案されている。この加湿ユニットは、加湿された加湿空気を室内へと供給する加湿運転（給気運転）を行うことができると共に、室内から取り込まれた空気を室外へと排出させる排気運転を行うことができる。この加湿ユニットは、空気が通る給排気管によって室内機と繋がれており、室内機との間で空気の流れを生成する加湿ファンを備えている。加湿ユニットは、排気運転時には、室内機から排出され給排気管を通ってきた空気を加湿ファンから室外へと排気する。
【０００３】
このように、給排気ユニットによれば、室内に配置される室内機から取り込まれた室内の空気を室外へと排出させることができる。
【０００４】
【発明が解決しようとする課題】
しかし、上記の様な給排気ユニットにより室内の空気を室外へと排気する場合、室外へと排気される空気と共に給排気ユニット内の音が室外へと漏れ、給排気ユニットの周辺の騒音が大きくなる恐れがある。
本発明の課題は、室外へ漏れる音を低減することができる給排気ユニットを提供することにある。
【０００５】
【課題を解決するための手段】
請求項１に記載の給排気ユニットは、室内から取り込まれた空気を室外へと排出させる排気運転と室外から取り込まれた空気を室内へと供給する給気運転とを行うことができる給排気ユニットであって、第１通過経路と第２通過経路とを備える。第１通過経路は、給気運転時に室外から取り込まれた空気を室内へと導く。第２通過経路は、排気運転時に室内から取り込まれた空気を室外へと導く。そして、第１通過経路と第２通過経路とは少なくとも通過部を共有しており、この通過部は排気運転時に減音機構として機能する。
【０００６】
この給排気ユニットでは、排気運転時に減音機構として機能する通過部により第２通過経路を伝わる音が減音される。このため、この給排気ユニットでは、室外へ漏れる音を低減することができる。また、この通過部は、第１通過経路と共有されている。このため、この給排気ユニットでは、第１通過経路と共有している通過部を利用して簡易に室外へ漏れる音を低減することができる。
【０００７】
請求項２に記載の給排気ユニットは、請求項１に記載の給排気ユニットであって、通過部には、排気運転時に減音機構として機能するフィルターが配置される。
この給排気ユニットでは、通過部には、排気運転時に減音機構として機能するフィルターが配置される。このため、この給排気ユニットでは、通過部を通る空気と共に伝わる音をフィルターにより減音することができる。
【０００８】
請求項３に記載の給排気ユニットは、請求項２に記載の給排気ユニットであって、フィルターは、ハニカム構造を有する。
この給排気ユニットでは、フィルターはハニカム構造を有する。このため、フィルターは、給気運転時および排気運転時において空気を十分に通すことができると共に、十分な強度も担保されている。
【０００９】
請求項４に記載の給排気ユニットは、請求項２または３に記載の給排気ユニットであって、フィルターは、５ｍｍ以上の厚さを有する。
この給排気ユニットでは、フィルターは５ｍｍ以上の厚さを有する。このため、このフィルターは、排気運転時において通過する空気と共に伝わる音を十分に吸収することができる。これにより、給排気ユニットでは、通過部を通る空気と共に伝わる音をより減音することができる。
【００１０】
請求項５に記載の給排気ユニットは、請求項２から４のいずれかに記載の給排気ユニットであって、フィルターは、給気運転の際に、通過する空気中の水分を吸着し加熱されることにより水分を離脱して加湿空気を生成することができる加湿部材である。
この給排気ユニットでは、フィルターは、給気運転の際に、通過する空気中の水分を吸着し加熱されることにより水分を離脱して加湿空気を生成することができる加湿部材である。このため、この給排気ユニットは、給気運転時には室内の加湿を行うことができると共に、排気運転時には加湿部材を利用して室外へ漏れる音を低減することができる。
【００１１】
請求項６に記載の給排気ユニットは、請求項２から５のいずれかに記載の給排気ユニットであって、送風装置とケーシングとをさらに備える。送風装置は、室内から取り込まれ室外へと排出される空気の流れを生成する。ケーシングは、室外へと排出される空気が通る排出口を有する。そして、フィルターは、送風装置と排出口との間に配置される。
【００１２】
この給排気ユニットでは、フィルターは、送風装置と排出口との間に配置される。このため、送風装置から発せられる音が排出口から室外へと漏れる前に、送風装置から発せられる音をフィルターにより減音することができる。これにより、この給排気ユニットでは、送風装置から発せられた室外へ漏れる音を低減することができる。
【００１３】
請求項７に記載の給排気ユニットは、請求項１から６のいずれかに記載の給排気ユニットであって、第１通過経路と第２通過経路とは同一である。
この給排気ユニットでは、第１通過経路と第２通過経路とは同一である。このため、この給排気ユニットでは、１つの通過経路を利用して給気と排気との両方を行うことができる。このため、この給排気ユニットでは、構成を簡略化することができる。
【００１４】
請求項８に記載の空気調和機の室外機は、請求項１から７のいずれかに記載の給排気ユニットを備える。
この空気調和機の室外機では、請求項１から７のいずれかに記載の給排気ユニットを備える。このため、この室外機によれば、空気調和機に給気運転と排気運転とを付加することができると共に、室外機の周辺への騒音を低減することができる。
【００１５】
請求項９に記載の排気ユニットは、室内から取り込まれた空気を室外へと排出させる排気運転を行うことができる排気ユニットであって、送風装置と減音部とケーシングとを備える。送風装置は、室内から取り込まれた空気を室外へと送る。減音部は、送風装置により送られる空気と共に伝わる音を低減する。ケーシングは、空気経路から室外へ排出される空気が通る排出口を有する。
【００１６】
この排気ユニットでは、減音部が、送風装置により送られる空気と共に伝わる音を低減する。このため、この排気ユニットでは、排気運転時に、排気ユニットから室外へと漏れる音を低減することができる。
【００１７】
【発明の実施の形態】
＜空気調和機の概略構成＞
本発明の一実施形態に係る空気調和機１の外観を図１に示す。
この空気調和機１は、室内の壁面などに取り付けられる室内機２と、室外に設置される室外機３とに分かれて構成されている。室外機３は、室外熱交換器やプロペラファンなどを収納する室外空調ユニット５と加湿給排気ユニット４とを備えている。室内機２内には室内熱交換器が収納され、室外機３内には室外熱交換器が収納されている。そして、各熱交換器およびこれらの熱交換器を接続する冷媒配管３１，３２が、冷媒回路を構成している。また、室外機３と室内機２との間には、加湿給排気ユニット４からの室外空気や加湿空気等を室内機２側に供給するときや室内の空気を室外に排出するときに用いられる給排気ホース６が設けられている。
【００１８】
＜冷媒回路の構成＞
図２は、空気調和機１で用いられる冷媒回路の系統図に空気の流れの概略を付加したものである。
室内機２には、室内熱交換器１１が設けられている。この室内熱交換器１１は、長さ方向両端で複数回折り返されてなる伝熱管と、伝熱管が挿通される複数のフィンとからなり、接触する空気との間で熱交換を行う。
【００１９】
また、室内機２内には、クロスフローファン１２と、クロスフローファン１２を回転駆動する室内ファンモータ１３とが設けられている。クロスフローファン１２は、円筒形状に構成され、周面には多数の羽根が設けられており、回転軸と交わる方向に空気流を生成する。このクロスフローファン１２は、室内空気を室内機２内に吸い込ませるとともに、室内熱交換器１１との間で熱交換を行った後の空気を室内に吹き出させる。
【００２０】
室外空調ユニット５には、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された電動弁２５とが設けられている。電動弁２５は、フィルタ２６および液閉鎖弁２７を介して冷媒配管３２に接続されており、この冷媒配管３２を介して室内熱交換器１１の一端と接続される。また、四路切換弁２２は、ガス閉鎖弁２８を介して冷媒配管３１に接続されており、この冷媒配管３１を介して室内熱交換器１１の他端と接続されている。これらの冷媒配管３１，３２は、上述した給排気ホース６とともに集合連絡管７を形成する。
【００２１】
また、室外空調ユニット５内には、室外熱交換器２４での熱交換後の空気を外部に排出するためのプロペラファン２９が設けられている。このプロペラファン２９は、室外ファンモータ３０によって回転駆動される。
＜室外機の構成＞
室外機３は、図１に示すように、下部の室外空調ユニット５および上部の加湿給排気ユニット４が一体となって構成されている。
【００２２】
まず、図３に基づいて室外空調ユニット５の構成について説明する。
〔室外空調ユニットに係る構成〕
室外空調ユニット５は、前面パネル５１、側板５２，５３、保護金網（図示せず）、金属製の底板５４等のケーシング部材や内部に収容される冷媒回路構成部品等により構成されている。
【００２３】
前面パネル５１は、室外空調ユニット５の前面を覆う樹脂製の部材であり、室外熱交換器２４に対して室外熱交換器２４を通った空気の下流側に配置されている。前面パネル５１には、複数のスリット状の開口からなる室外空調ユニット吹出口５１ａが設けられており、室外熱交換器２４を通った空気は、室外空調ユニット５の内部からこの室外空調ユニット吹出口５１ａを通って室外機３の外部へと吹き出す。また、前面パネル５１の後方には、ファン吹出口部材５６と仕切板５７とが取り付けられる。
【００２４】
側板５２，５３には右側板５２および左側板５３があり、これらは室外空調ユニット５の側方を覆う金属製の部材である。ここでは、室外機３の正面視において右側に右側板５２、左側に左側板５３が設けられている。なお、各側板５２，５３は、室外熱交換器２４を通って室外空調ユニット吹出口５１ａから吹き出す空気の吹き出し方向に対して概ね平行に設けられている。また、右側板５２には、液閉鎖弁２７およびガス閉鎖弁２８（図２参照）を保護するための閉鎖弁カバー５５が取り付けられる。
【００２５】
冷媒回路構成部品には、室外熱交換器２４、圧縮機２１、アキュムレータ２３、四路切換弁２２、電動弁２５等（図２参照）がある。
室外熱交換器２４は、平面視において略Ｌ字形状を有し、室外空調ユニット５の背面を覆う保護金網の前方に配置される。
室外熱交換器２４の前方であって、仕切板５７と左側板５３との間の通気スペースには、室外ファンモータ３０とプロペラファン２９とが設けられている。室外ファンモータ３０は、プロペラファン２９を回転させる。プロペラファン２９は、室外空調ユニット５内に取り入れた空気を室外熱交換器２４と接触させ室外空調ユニット吹出口５１ａから前面パネル５１の前方に排気させる。
【００２６】
圧縮機２１、アキュムレータ２３、四路切換弁２２、電動弁２５などの他の冷媒回路構成部品は、仕切板５７と右側板５２との間の機械室に配置されている。また、室外空調ユニット５の上部には、電装品ユニット５８が取り付けられる。この電装品ユニット５８は、電装品箱と各部を制御するための回路部品を搭載したプリント基板とにより構成されている。電装品ユニット５８の上方には防炎板５９が取り付けられる。
【００２７】
〔加湿給排気ユニットに係る構成〕
加湿給排気ユニット４は、室内から取り込まれた空気を室外へと排出させる排気運転と室外から取り込まれた空気を室内へと供給する給気運転とを行うことができるユニットである。給気運転には、室外から取り込まれた空気を加湿して室内へと供給する加湿運転と、加湿を行わずに室外の空気を取り入れて室内へと供給する給気換気運転とがある。以下、加湿給排気ユニット４の構成について、主として図３に基づいて説明する。
【００２８】
（加湿給排気ユニットケーシング）
加湿給排気ユニット４は、加湿給排気ユニットケーシング４０を有している。加湿給排気ユニットケーシング４０は、加湿給排気ユニット４の前方、後方および両側方を覆っており、室外空調ユニット５の上部に接するように配置される。加湿給排気ユニットケーシング４０の前面には、複数のスリット状の開口からなる吸着用空気吹出口４０ａが設けられており、空気がこの吸着用空気吹出口４０ａを通って室外機３の外部へと吹き出す。
【００２９】
また、加湿給排気ユニットケーシング４０の背面には、吸着用空気吸込口４０ｂおよび給排気口４０ｃが左右方向に並んで設けられている。吸着用空気吸込口４０ｂは、吸加湿ロータ４１に水分を吸着させるために室外から取り込まれる空気が通る開口である。給排気口４０ｃは、室内機２へと送られるために取り込まれる空気が通る、または、室内機２から取り込まれて室外へと排気される空気が通る開口である。
【００３０】
なお、加湿給排気ユニットケーシング４０の上部は、天板６６により覆われている。
加湿給排気ユニットケーシング４０内は、右側が吸加湿ロータ４１等を収容する空間、左側が吸着用ファン４６等を収容する吸着用ファン収納空間ＳＰ１となっている。この加湿給排気ユニットケーシング４０内には、吸加湿ロータ４１、ヒータ組立体４２、ラジアルファン組立体４３、切換ダンパ４４、吸着側ダクト４５、吸着用ファン４６などが配置されている。
【００３１】
（吸加湿ロータ）
吸加湿ロータ４１は、概ね円板形状を有するハニカム構造のセラミックロータであり、空気が容易に通過できる構造となっている。吸加湿ロータ４１は、平面視において円形の形状を有しており約１５ｍｍの厚さを有する。なお、後に説明するこの給加湿ロータ４１による減音の効果のためには、給加湿ロータ４１の厚さは５ｍｍ以上であることが望ましい。また、吸加湿ロータ４１は、水平面で切った断面において細かいハニカム（蜂の巣）状になっている。そして、これらの断面が多角形である吸加湿ロータ４１の多数の筒部分を、空気が通過する。
【００３２】
吸加湿ロータ４１の主たる部分は、ゼオライト、シリカゲル、あるいはアルミナといった吸着剤から焼成されている。このゼオライト等の吸着剤は、接触する空気中の水分を吸着し、加熱されることによって吸着して含有する水分を離脱する性質を有している。
この吸加湿ロータ４１は、加湿給排気ユニットケーシング４０側に設けられた支持軸４０ｄに、図示しないロータガイドを介して回動可能に支持される。吸加湿ロータ４１の周面には、ギヤが形成されており、ロータ駆動モータ４７の駆動軸に取り付けられるロータ駆動ギヤ４８と歯合している。
【００３３】
（ヒータ組立体）
ヒータ組立体４２は、ヒータカバー４２ａと、その内部に収容されたヒータ本体４２ｂ（図１０参照）とにより構成されており、室外から取り込まれて吸加湿ロータ４１へ送られる空気を加熱する。また、ヒータ組立体４２は、図１１（ａ）に示すように、吸加湿ロータ４１の上面の略半分（右側の半分）を覆うように配置されている。ヒータ組立体４２の下面には、給気運転時に、空気を吸入するための第１吸排気口４２ｃと、ヒータ組立体４２で加熱された空気を吸加湿ロータ４１側へ排出するための第２吸排気口４２ｅとが形成されている。このヒータ組立体４２は、ヒータ支持板４９を介して吸加湿ロータ４１の上方に取り付けられる。
【００３４】
（ラジアルファン組立体）
ラジアルファン組立体４３は、吸加湿ロータ４１の側方に配置されており、ラジアルファン４３０（図８（ａ）参照）と、ラジアルファン４３０を回転させるラジアルファンモータ４３１（図１０参照）とを有する。また、ラジアルファン組立体４３は、図４に示すように、上蓋７３を切換ダンパ４４と共有しており、上蓋７３は、ラジアルファン組立体４３の底面を閉じている。上蓋７３には、空気吹出し口７３ａと空気取入れ口７３ｂとが設けられている。空気吹出し口７３ａは、ラジアルファン組立体４３から切換ダンパ４４内へと送られる空気が通る開口である。空気取入れ口７３ｂは、切換ダンパ４４内からラジアルファン組立体４３へと送られる空気が通る開口である。ラジアルファン組立体４３は、給排気口４０ｃから吸加湿ロータ４１および切換ダンパ４４を経て室内へと到る空気の流れを生成して、室外から取り入れた空気を室内機２へと送る。また、ラジアルファン組立体４３は、室内機２から取り入れた空気を室外へと排出することもできる。ラジアルファン組立体４３は、切換ダンパ４４が切り換わることにより、これらの動作を切り換える。
【００３５】
ラジアルファン組立体４３は、室外から取り入れた空気を室内機２へと送る場合には、吸加湿ロータ４１を通過して吸加湿ロータ４１の右側の略半分の部分のうち手前側の部分から降りてきた空気を、切換ダンパ４４を経て給排気ダクト６１へと送り出す。給排気ダクト６１は、給排気ホース６（図１参照）に接続されており、ラジアルファン組立体４３は、給排気ダクト６１と給排気ホース６とを介して空気を室内機２へと供給する。
【００３６】
ラジアルファン組立体４３は、室内機２から取り入れた室内の空気を室外へと排出する場合には、給排気ダクト６１から送られてきた空気を加湿給排気ユニットケーシング４０の背面に設けられた給排気口４０ｃから室外へと排出する。
（切換ダンパ）
切換ダンパ４４は、ラジアルファン組立体４３の下方に配置される回転式の空気流路切換手段であり、第１状態、第２状態及び第３状態に切り替わる。
【００３７】
第１状態においては、ラジアルファン組立体４３から吹き出された空気は、給排気ダクト６１を経て給排気ホース６を通って室内機２へと供給されるようになる。これにより、第１状態では、図２の実線矢印Ａ１で示す矢印の向きに空気が流れ、加湿空気あるいは室外空気が給排気ホース６を通って室内機２へと供給されるようになる。
【００３８】
第２状態では、図２の破線矢印Ａ２で示す矢印の向きに空気が流れ、室内機２から給排気ホース６及び給排気ダクト６１を通ってきた空気が、ラジアルファン組立体４３から給排気口４０ｃを経て室外へと排気される。
第３状態では、切換ダンパ４４と給排気ダクト６１とを繋ぐ経路が閉じられ、室外機３と室内機２との間の空気の流れが遮断される。
【００３９】
切換ダンパ４４の具体的な構成および動きについては後に詳述する。
（吸着側ダクトおよび吸着用ファン）
吸着側ダクト４５は、吸加湿ロータ４１の上面のうちヒータ組立体４２が位置しない部分（左側の略半分の部分）を覆っている。この吸着側ダクト４５は、後述する吸着側ベルマウス６３とともに、吸加湿ロータ４１の左半分の部分の上面から以下に説明する吸着用ファン収納空間ＳＰ１の上部へと通じる空気流路を形成する。
【００４０】
吸着用ファン収納空間ＳＰ１に収容される吸着用ファン４６は、吸着用ファンモータ６５によって回転する遠心ファンであり、上部に配置される吸着側ベルマウス６３の開口部６３ａから空気を吸込むことで、吸着用空気吸込口４０ｂから吸加湿ロータ４１を介して、開口部６３ａへ流れる気流を生成する。そして、吸着用ファン４６は、吸加湿ロータ４１を通る際に水分を吸着された乾燥空気を吸着用空気吹出口４０ａから加湿給排気ユニットケーシング４０の前方へ向けて排気する。吸着側ベルマウス６３は、吸着用ファン収納空間ＳＰ１の上部に設けられており、吸着側ダクト４５によって形成される空気流路を通ってくる空気を吸着用ファン４６へと導く役割を果たす。
【００４１】
（制御部）
制御部１００は、空気調和機１の室内機２、室外空調ユニット５、および加湿給排気ユニット４に配置される電装品箱などに分かれて存在している。この制御部１００は、図１０に示すように、室外温度を検出する室外温度サーミスタ１０１、後述するリミットスイッチ７５、室内機２や室外機３のその他の各機器と接続されており、リモコン１０２等からの運転指令に基づいて暖房運転、冷房運転、ドライ運転、加湿運転、給気換気運転、排気運転などの各運転モードに応じて各機器の運転制御を行う。
【００４２】
〔切換ダンパの詳細構成〕
切換ダンパ４４は、図４に示すように、切換ダンパケーシング７１と、流路切換部材７２と、上蓋７３と、流路切換部材７２を回転駆動するダンパ駆動モータ７４（図１０参照）と、流路切換部材７２が正常に移動したかを検出するリミットスイッチ７５（図１０参照）とから構成されている。切換ダンパ４４は、ラジアルファン組立体４３の下方に配置され、流路切換部材７２が回転移動することにより空気の流れを切り換える。
【００４３】
切換ダンパケーシング７１は、ケーシング側壁７１ａとケーシング底板７１ｂとから構成されており、上方が開放されている。ケーシング側壁７１ａは、ケーシング底板７１ｂから上方へ延びており、円弧状に側方へ湾曲している。また、切換ダンパケーシング７１の一部には、ケーシング側壁７１ａが存在しないケーシング側部開口７１ｃがあり、切換ダンパケーシング７１の内部の空間は、ケーシング側部開口７１ｃによって側方に開いた空間となっている。ケーシング底板７１ｂの中央付近には、ケーシング底板７１ｂから上方へ突出するレール７１ｄが設けられており、ケーシング側壁７１ａと概ね平行となるように湾曲している。このレール７１ｄとケーシング側壁７１ａとに挟まれた空間は、流路切換部材７２が回転移動する移動空間となっている。ケーシング底板７１ｂのうち流路切換部材７２が通過する部分には、ケーシング底部開口７１ｅが設けられており、ケーシング底板７１ｂの外面に設けられた接続管７１ｆの孔と繋がっている。この接続管７１ｆには、給排気ダクト６１が接続される。
【００４４】
上蓋７３は、切換ダンパケーシング７１の上面を塞ぐ板状の部材であり、その上にはラジアルファン組立体４３が取り付けられる。前述したように、上蓋７３には、空気吹出し口７３ａと空気取入れ口７３ｂとが設けられている。空気吹出し口７３ａは、ラジアルファン組立体４３から切換ダンパ４４内へと送られてくる空気が通る開口であり、切換ダンパケーシング７１のケーシング底部開口７１ｅの上方に設けられている。空気取入れ口７３ｂは、切換ダンパ４４内からラジアルファン組立体４３へと送られる空気が通る開口であり、移動空間のうちケーシング底部開口７１ｅとケーシング側部開口７１ｃとの間の空間に面するように設けられている。
【００４５】
流路切換部材７２は、移動空間を移動することにより、切換ダンパ４４内を通る空気の流れを切り換える部材である。流路切換部材７２は、切換ダンパケーシング７１と上蓋７３により形成される切換ダンパケーシング７１内の空間を、流路切換部材７２の内部の空間ＳＰ２と流路切換部材７２の外部の空間ＳＰ３とに分割する（図８（ａ）、図８（ｂ）及び図９参照）。流路切換部材７２は、主として、内側壁７２ａ、外側壁７２ｂ、平側壁７２ｃ，７２ｄおよび底板７２ｅとにより構成されている。流路切換部材７２は、上方が開放されており、上蓋７３により上面を閉じられる。内側壁７２ａと外側壁７２ｂとは、互いに並行であり、約９０度の中心角を有する円弧状に側方へ湾曲している。外側壁７２ｂは、切換ダンパケーシング７１のケーシング側壁７１ａ側に設けられ、内側壁７２ａは、切換ダンパケーシング７１のレール７１ｄ側に設けられる。また、内側壁７２ａの外面にはギヤ７２ｆが設けられており、ダンパ駆動モータ７４のギヤ７４０と噛み合って、ダンパ駆動モータ７４の回転を流路切換部材７２へと伝える。平側壁７２ｃ，７２ｄは、内側壁７２ａと外側壁７２ｂとの側端を繋ぐ板状の部材であり、平側壁７２ｃには側部開口７２ｇが設けられている。側部開口７２ｇは、平側板７２ｃの外面に設けられた配管７２ｈの孔と繋がっている。配管７２ｈは、平側板７２ｃの外面から下方へ向けて約９０度湾曲しており、配管７２ｈの下方の孔から入ってくる空気を側部開口７２ｇから流路切換部材７２の内部の空間ＳＰ２へと送る。また、底板７２ｅには底部開口７２ｉが設けられている。流路切換部材７２の大きさや底部開口７２ｉの位置等は、図８（ａ）に示すように、底部開口７２ｉが切換ダンパケーシング７１のケーシング底部開口７１ｅの真上に位置するときに、流路切換部材７２の内部の空間ＳＰ２が上蓋７３の空気取入れ口７３ｂと連通しないように、また、図８（ｂ）に示すように、流路切換部材７２の配管７２ｈの下方を向いている開口７２０ｈがケーシング底板７１ｂのケーシング底部開口７１ｅの真上に位置するときに、流路切換部材７２の内部の空間ＳＰ２が上蓋７３の空気取入れ口７３ｂと連通し、且つ、空気吹出し口７３ａと連通しないように決定されている。
【００４６】
ダンパ駆動モータ７４は、流路切換部材７２を図４および図５に示すように回動させるために設けられている。このダンパ駆動モータ７４は、流路切換部材７２を回転させ、流路切換部材７２が図４、図６及び図８（ａ）に示す回転位置にくる第１状態と、図５、図７及び図８（ｂ）に示す回転位置にくる第２状態と、図９に示す回転位置にくる第３状態とを切り換える。
【００４７】
また、リミットスイッチ７５は、流路切換部材７２が正常に移動した場合に作動するように設けられており、ダンパ駆動モータ７４を駆動した場合にリミットスイッチ７５が作動するか否かで、第１状態、第２状態および第３状態を切り換えることができたか否かを検出することができる。リミットスイッチ７５は、制御部１００と接続されており、検出結果を制御部１００へと送る。
【００４８】
次に、切換ダンパ４４の第１状態、第２状態及び第３状態について説明する。図６に第１状態を示す切断斜視図、図８（ａ）に第１状態を示す模式図を示す。
第１状態では、図８（ａ）に示すように、流路切換部材７２の内部の空間ＳＰ２が、開放されている上部を介して空気吹出し口７３ａと連通し、底部開口７２ｉを介して切換ダンパケーシング７１のケーシング底部開口７１ｅと連通する。また、流路切換部材７２の外部の空間ＳＰ３が空気取入れ口７３ｂと連通する。ヒータ組立体４２および吸加湿ロータ４１を通ってきた加湿空気あるいは室外空気を切換ダンパ４４へと導く通路と、流路切換部材７２の外部の空間ＳＰ３とは、ケーシング側部開口７１ｃを介して連通しているため、ヒータ組立体４２および吸加湿ロータ４１を通ってきた加湿空気あるいは室外空気は、ラジアルファン組立体４３に収容されたラジアルファン４３０が回転することにより空気取入れ口７３ｂを通ってラジアルファン組立体４３の内部へと入る。そして、空気吹出し口７３ａから吹き出した加湿空気あるいは室外空気は、流路切換部材７２の内部の空間ＳＰ２、流路切換部材７２の底部開口７２ｉ、切換ダンパケーシング７１のケーシング底部開口７１ｅを通って接続管７１ｆから切換ダンパ４４の外部へと送られる。接続管７１ｆは、給排気ダクト６１（図３及び図６参照）を介して給排気ホース６につながっているため、第１状態においては、ラジアルファン組立体４３の空気吹出し口７３ａから吹き出された空気は、給排気ホース６を通って室内機２へと供給されるようになる。これにより、第１状態では、図６および図８（ａ）に示す矢印の向きに空気が流れ、加湿空気あるいは室外空気が給排気ホース６を通って室内機２へと給気されるようになる。
【００４９】
次に第２状態について説明する。図７に第２状態を示す切断斜視図、図８（ｂ）に第２状態を示す模式図を示す。
第２状態では、図８（ｂ）に示すように、接続管７１ｆが、配管７２ｈを介して、流路切換部材７２の内部の空間ＳＰ２と連通する。また、流路切換部材７２の内部の空間ＳＰ２は、開放されている上部を介して、ラジアルファン組立体４３の空気取入れ口７３ｂと連通する。さらに、ラジアルファン組立体４３の空気吹出し口７３ａが、流路切換部材７２の外部の空間ＳＰ３と連通し、ケーシング側部開口７１ｃを介して室外機３の外部に通じる通路につながる。したがって、第２状態では、図７及び図８（ｂ）で示す矢印の向きに空気が流れ、室内機２から排出され給排気ホース６を通ってきた空気が、給排気ダクト６１を通ってケーシング側部開口７１ｃから吹出し、加湿給排気ユニットケーシング４０の給排気口４０ｃを通って室外機３の外部へと排気されるようになる。
【００５０】
次に、第３状態について説明する。図９に第３状態を示す模式図を示す。
第３状態は、流路切換部材７２が第１状態と第２状態との間に位置する。第３状態では、ラジアルファン組立体４３の空気取入れ口７３ｂが流路切換部材７２の外部の空間ＳＰ３と連通する。また、ラジアルファン組立体４３の空気吹出し口７３ａが、流路切換部材７２の内部の空間ＳＰ２と連通する。しかし、流路切換部材７２の底部開口７２ｉ及び配管７２ｈの下方の開口７２０ｈは、切換ダンパケーシング７１のケーシング底板７１ｂによって閉じられている。また、切換ダンパケーシング７１のケーシング底部開口７１ｅも流路切換部材７２の底板７２ｅによって閉じられている。このように、第３状態では室外機３と室内機２とを繋ぐ空気の経路が切換ダンパ４４により閉じられた状態となっている。
【００５１】
＜加湿給排気ユニットの動作＞
本実施形態にかかる空気調和機１における加湿給排気ユニット４の動作を説明する。
〔給気運転時の動作〕
本実施形態にかかる空気調和機１において給気運転を行うときには、上記の切換ダンパ４４は図４、図６および図８（ａ）に示す第１状態に切り換えられる。以下、特に、加湿空気を給気する加湿運転を行う際の加湿給排気ユニット４の動作について図２及び図３に基づいて説明する。
【００５２】
加湿給排気ユニット４は、吸着用ファン４６を回転駆動することによって、室外からの空気を吸着用空気吸込口４０ｂから加湿給排気ユニットケーシング４０内に取り入れる。加湿給排気ユニットケーシング４０内に入ってきた空気は、吸加湿ロータ４１の左側の略半分の部分を通過して、吸着側ダクト４５および吸着側ベルマウス６３により形成される空気流路および吸着用ファン４６を介して、吸着ファン収納空間ＳＰ１から吸着用空気吹出口４０ａを通って室外機３の前方へと排出される（図２の矢印Ａ３及び図３参照）。加湿給排気ユニットケーシング４０内に室外から取り入れられた空気が吸加湿ロータ４１の左側の略半分の部分を通過する際に、吸加湿ロータ４１は、空気中に含まれている水分を吸着する。
【００５３】
この吸着工程で水分を吸着した吸加湿ロータ４１の左側の略半分の部分は、吸加湿ロータ４１が回転することによって、吸加湿ロータ４１の右側の略半分の部分となる。すなわち、吸着された水分は、吸加湿ロータ４１の回転に伴い、ヒータ組立体４２の下方に位置する吸加湿ロータ４１の部分に移動してくる。そして、ここに移動してきた水分は、ヒータ組立体４２からの熱により、ラジアルファン組立体４３によって生成される空気流中に離脱していく。
【００５４】
ラジアルファン組立体４３を駆動すると、図１１（ａ）に示すように、給排気口４０ｃから加湿給排気ユニットケーシング４０内に室外の空気が取り込まれ、その空気が吸加湿ロータ４１の右側の略半分の部分のうち奥の部分の下方から上方に向けて通過し、ヒータ組立体４２の下面の第１吸排気口４２ｃからヒータ組立体４２内に導入される。なお、ここでいう「奥」とは図１０（ａ）の紙面における上側を指している。そして、ヒータ組立体４２内に入った空気は、ヒータ組立体４２の下面の第２吸排気口４２ｅから排出され、吸加湿ロータ４１の右側の略半分の部分のうち手前の部分を上方から下方に通過し（図８（ａ）の紙面の垂直方向）、切換ダンパ４４のケーシング側部開口７１ｃから切換ダンパ４４の内部を通ってラジアルファン組立体４３へと至る。このような空気流は、ラジアルファン組立体４３が生成するものである。ラジアルファン組立体４３は、上記のように吸加湿ロータ４１および切換ダンパ４４を通り抜けてきた空気を、切換ダンパ４４、給排気ダクト６１及び給排気ホース６を介して室内機２へと送る。この室内機２へと送られる空気は、吸加湿ロータ４１に吸着されていた水分を含むようになっている。そして、加湿給排気ユニット４から室内機２に供給された空気は、室内熱交換器１１を経て室内に吹き出される。なお、図１０（ａ）においては、理解の容易のために切換ダンパ４４及びラジアルファン組立体４３の内部での空気の流れを簡略化して示しているが、実際には〔切換ダンパの詳細構成〕の欄で説明したように空気が流れている。後述する図１０（ｂ）においても同様である。
【００５５】
上記のように、室外から取り込まれた空気は、給排気口４０ｃ、吸加湿ロータ４１、ヒータ組立体４２、ラジアルファン組立体４３及び切換ダンパ４４を繋ぐ通過経路Ｒ１により室内へと導かれる。
なお、この空気調和機１は、給気換気運転の場合には、吸着用ファンモータ６５やヒータ組立体４２を作動させないことにより、加湿を行わずに室外の空気を取り入れて室内機２へと送る。
【００５６】
〔排気運転時の動作〕
排気運転を行うときには、上記の切換ダンパ４４は図５、図７および図８（ｂ）に示す第２状態に切り換えられる。
ラジアルファン組立体４３が駆動されると、室内機２から取り込まれた室内の空気が、給排気ホース６を経て、図１１（ｂ）に示すように、給排気ダクト６１から切換ダンパ４４の内部を通ってラジアルファン組立体４３へと到る。
【００５７】
ラジアルファン組立体４３へと到った空気は、再び切換ダンパ４４の内部を通って、切換ダンパ４４のケーシング側部開口７１ｃから切換ダンパ４４の外部へ吹き出す。切換ダンパ４４の外部へ吹き出した空気は、吸加湿ロータ４１の右側の略半分の部分のうち手前の部分を下方から上方に通過し、ヒータ組立体４２の下面の第２吸排気口４２ｅからヒータ組立体４２内に導入される。そして、ヒータ組立体４２内に入った空気は、ヒータ組立体４２の下面の第１吸排気口４２ｃから排出され、吸加湿ロータ４１の右側の略半分の部分のうち奥の部分の上方から下方に向けて通過し、給排気口４０ｃから室外へと排出される。
【００５８】
このようにして室内機２から取り込まれた室内の空気は、通過経路Ｒ１を給気運転時とは逆向きに通過し、加湿給排気ユニット４から室外へと排出される。
上記の様な排気運転時においては、通過経路Ｒ１のうち、給排気口４０ｃ、吸加湿ロータ４１、ヒータ組立体４２及び切換ダンパ４４のケーシング側部開口７１ｃを繋ぐ通過部Ｒ２が減音機構として機能して、室外へ排出される空気と共に伝播される音を減音するが、これについては後に＜特徴＞の欄で詳細に説明する。
【００５９】
＜制御部による加湿給排気ユニットの制御＞
次に、制御部１００による加湿給排気ユニット４の制御について説明する。制御内容としては、上述した加湿運転、給気換気運転、排気運転及び解凍運転に関する制御がある。
〔加湿運転〕
制御部１００は、リモコン１０２からの加湿指令を受けた場合やリモコン１０２からの加湿自動運転指令に応じて加湿運転が必要があると判断した場合に、加湿運転を行う。この加湿運転は、暖房運転とともに行われることも多い。加湿運転においては、加湿給排気ユニット４内のロータ駆動モータ４７、ヒータ本体４２ｂ、ラジアルファンモータ４３１、および吸着用ファンモータ６５が駆動する。この加湿運転では、上述したように、吸着用ファン４６の回転によって外部から加湿給排気ユニット４内に導入した空気中に含まれる水分を吸加湿ロータ４１に吸着させるとともに、ヒータ本体４２ｂにより加熱された空気をラジアルファン４３０の回転によって吸加湿ロータ４１に通し、吸加湿ロータ４１から離脱した水分を含む空気を給排気ホース６を介して室内機２へと供給させる。
【００６０】
（給気換気運転及び排気運転）
室内の換気を行う必要があると判断した場合に、制御部１００は、給気換気運転あるいは排気運転を行う。
給気換気運転では、制御部１００は、加湿給排気ユニット４に室外空気を取り込ませ、その室外空気を給排気ホース６から室内機２へと供給させる。給気換気運転時には、切換ダンパ４４が第１状態とされ、図６及び図８（ａ）に示す矢印の向きに空気が流れ、室外空気が給排気ホース６を通って室内機２へと給気される。
【００６１】
排気運転では、制御部１００は、加湿給排気ユニット４のラジアルファン組立体４３により給排気ホース６内の空気を吸い込ませ、すなわち、室内空気を室内機２を介して給排気ホース６へと吸い込ませ、それをラジアルファン組立体４３から室外機３の外へと排出させる。排気運転時には、切換ダンパ４４が第２状態とされ、図７及び図８（ｂ）に示す矢印の向きに空気が流れ、室内機２から給排気ホース６を通ってきた空気が、ラジアルファン組立体４３の空気吹出し口７３ａから切換ダンパ４４のケーシング側部開口７１ｃを通って機外へと排気される。　なお、これらの給気換気運転および排気運転においては、制御部１００は、加湿給排気ユニット４の吸着用ファン４６やロータ駆動モータ４７は作動させずに、ラジアルファン４３０だけを回転させる。
【００６２】
また、空気調和機１の運転停止時には、制御部１００は、切換ダンパ４４を第３状態とする。第３状態では、上述したように流路切換部材７２の底板７２ｅの一部が、切換ダンパケーシング７１のケーシング底部開口７１ｅを塞ぐ。したがって、給排気ホース６および給加湿ダクト６１を介して室内と室外とが連通されていた状態は、この流路切換部材７２の底板７２ｅによって解消され、室内と室外とが連通しない状態となる。
【００６３】
〔解凍運転〕
この空気調和機１は、運転開始時に切換ダンパ４４を暖める解凍運転を行うか否かを判断して、必要な場合には解凍運転を行うこともできる。
制御部１００は、リモコン１０２等からの運転開始の指令を受けると、ダンパ駆動モータ７４を起動する。このとき、制御部１００は、リミットスイッチ７５が作動したか否かにより、切換ダンパ４４が正常に作動しているか否かを判断する。切換ダンパ４４に正常に作動していないと判断された場合は、室外温度サーミスタ１０１により、外気温度が所定温度以下であるか否かが判断される。このときの所定温度は、例えば０℃など切換ダンパ４４に凍結が生じている恐れがある温度である。外気温度が所定温度以下である場合は、切換ダンパ４４内に進入した水分の凍結により切換ダンパ４４が凍結して固着している氷結ロックの疑いがあるとして、制御部１００は、解凍運転を行う。
【００６４】
この解凍運転では、制御部１００がヒータ本体４２ｂにおいて弱通電を行うと共にラジアルファンモータ４３１を駆動させる。これにより、ラジアルファン組立体４３により室外から取り込まれた空気がヒータ組立体４２において暖められて切換ダンパ４４へと送られる。切換ダンパ４４は、この空気の熱により暖められて解凍される。
【００６５】
＜特徴＞
（１）
一般に、空気調和機で室内の空気を室外機から室外へと排出する排気運転が行われる場合、室外へ排出される空気と共に伝わる音が室外へ漏れて室外機の周囲で騒音が大きくなることがある。特に、室内から室外機内へ搬送された空気を直接に室外機から排出した場合には騒音が大きくなる。
【００６６】
しかし、この加湿給排気ユニット４では、排気運転時において通過経路Ｒ１により室外へと導かれる空気が通過部Ｒ２を通ることにより、室外へと導かれる空気と共に伝わる音を減音することができる。すなわち、通過部Ｒ２には吸給加湿ロータ４１が設けられているため、室外へと導かれる空気が吸加湿ロータ４１を通る際に、室外へと導かれる空気と共に伝播する音が吸加湿ロータ４１に吸収される。また、通過部Ｒ２には、加湿空気を生成するために吸加湿ロータ４１やヒータ組立体４２が配置されており、通過部Ｒ２を通って室外へと排出される空気は、比較的長い距離を引き回される。従って、空気が通過部Ｒ２を通る間に、空気と共に伝わる音が減衰する。これにより、この加湿給排気ユニット４は、排気運転時に室外へ漏れる音を低減することができ、室外機３の周囲の騒音を低減することができる。
【００６７】
（２）
この加湿給排気ユニット４では、給気運転時に室内へと送られる空気が通る通過部Ｒ２を排気運転時に室外へと送られる空気も通る。このため、空気は、排気運転時にも通過部Ｒ２に配置された吸加湿ロータ４１やヒータ組立体４２等の構成部品を通る。そして、これらの構成部品を通る間に、空気と共に伝わる音が減音される。このように、この加湿給排気ユニット４では、加湿運転時に加湿空気を生成するために配置されている構成部品を利用して、簡易に排気運転時の減音を行うことができる。また、このために、この加湿給排気ユニット４では、減音のための専用の構成部品を設けることなく室外へ漏れる音が低減されている。これにより、この加湿給排気ユニット４では、排気運転時における減音のために構成部品が増大することが抑制されている。
【００６８】
（３）
吸加湿ロータ４１は、空気を通過させて水分の吸着及び離脱を行うために細かいハニカム（蜂の巣）状の断面を有している。このため、給加湿ロータ４１は、吸音する効果が高い。従って、この加湿給排気ユニット４では、排気運転時における室外機３の周辺の騒音をより低減することが出来る。
【００６９】
（４）
ラジアルファン組立体４３は、室内から取り込まれ室外へと排出される空気の流れを生成する装置であるため、ラジアルファン組立体４３から発生する音は特に大きい。
この加湿給排気ユニット４では、ラジアルファン組立体４３から送られた空気が吸加湿ロータ４１を通った後、給排気口４０ｃから室外へと排出される。すなわち、吸加湿ロータ４１は、ラジアルファン組立体４３と給排気口４０ｃとの間に配置されている。このため、加湿給排気ユニット４では、ラジアルファン組立体４３で発生した音が、給排気口４０ｃから室外へと漏れる前に吸加湿ロータ４１で減音される。従って、この加湿給排気ユニット４では、減音の効果が、より高くなっている。
【００７０】
＜他の実施形態＞
（１）
上記の実施形態では、給気運転と排気運転とにおいて通過経路Ｒ１が共通に利用されている。しかし、給気運転と排気運転とで通過部Ｒ２のみが共通に使用され、他の部分では給気運転と排気運転とで別の通過経路が利用されるようにしてもよい。
【００７１】
（２）
上記の実施形態では、吸加湿ロータ４１が減音機構として利用されているが、例えば、防塵用のフィルターなどの別種のフィルター状の部材を減音機構として利用してもよい。
（３）
上記の実施形態では、吸加湿ロータ４１が減音機構として利用されているが、吸加湿ロータ４１を利用せずに、空気が加湿給排気ユニットケーシング４０内で比較的長い距離を引き回されてから室外へと排出されるようにしてもよい。
【００７２】
（４）
上記の実施形態では、給気運転と排気運転との両方を行うことができる加湿給排気ユニット４が空気調和機１の室外機に設けられているが、加湿給排気ユニット４の構成部品のうち排気運転に必要な構成部品を備え排気運転のみを行う排気ユニットを室外機３に設けてもよい。この場合、ラジアルファン組立体４３と給排気口４０ｃとの間に減音用のフィルターを設けることにより、室外機の周辺の騒音を低減することができる。
【００７３】
【発明の効果】
請求項１に記載の給排気ユニットでは、排気運転時に減音機構として機能する通過部により第２通過経路を伝わる音が減音される。このため、この給排気ユニットでは、室外へ漏れる音を低減することができる。また、この通過部は、第１通過経路と共有されている。このため、この給排気ユニットでは、第１通過経路と共有している通過部を利用して簡易に室外へ漏れる音を低減することができる。
【００７４】
請求項２に記載の給排気ユニットでは、通過部には、排気運転時に減音機構として機能するフィルターが配置される。このため、この給排気ユニットでは、通過部を通る空気と共に伝わる音をフィルターにより減音することができる。
請求項３に記載の給排気ユニットでは、フィルターはハニカム構造を有する。このため、フィルターは、給気運転時および排気運転時において空気を十分に通すことができると共に、十分な強度も担保されている。
【００７５】
請求項４に記載の給排気ユニットでは、フィルターは５ｍｍ以上の厚さを有する。このため、このフィルターは、排気運転時において通過する空気と共に伝わる音を十分に吸収することができる。これにより、給排気ユニットでは、通過部を通る空気と共に伝わる音をより減音することができる。
請求項５に記載の給排気ユニットでは、フィルターは、給気運転の際に、通過する空気中の水分を吸着し加熱されることにより水分を離脱して加湿空気を生成することができる加湿部材である。このため、この給排気ユニットは、給気運転時には室内の加湿を行うことができると共に、排気運転時には加湿部材を利用して室外へ漏れる音を低減することができる。
【００７６】
請求項６に記載の給排気ユニットでは、フィルターは、送風装置と排出口との間に配置される。このため、送風装置から発せられる音が排出口から室外へと漏れる前に、送風装置から発せられる音をフィルターにより減音することができる。これにより、この給排気ユニットでは、送風装置から発せられた室外へ漏れる音を低減することができる。
【００７７】
請求項７に記載の給排気ユニットでは、第１通過経路と第２通過経路とは同一である。このため、この給排気ユニットでは、１つの通過経路を利用して給気と排気との両方を行うことができる。このため、この給排気ユニットでは、構成を簡略化することができる。
請求項８に記載の空気調和機の室外機では、請求項１から７のいずれかに記載の給排気ユニットを備える。このため、この室外機によれば、空気調和機に給気運転と排気運転とを付加することができると共に、室外機の周辺への騒音を低減することができる。
【００７８】
請求項９に記載の排気ユニットでは、減音部が、送風装置により送られる空気と共に伝わる音を低減する。このため、この排気ユニットでは、排気運転時に、排気ユニットから室外へと漏れる音を低減することができる。
【図面の簡単な説明】
【図１】空気調和機の外観図。
【図２】冷媒回路の構成図。
【図３】室外機の分解斜視図。
【図４】切換ダンパの分解斜視図（第１状態）
【図５】切換ダンパの分解斜視図（第２状態）
【図６】第１状態の切換ダンパにおける空気の流れを示す断面斜視図。
【図７】第２状態の切換ダンパにおける空気の流れを示す断面斜視図。
【図８】（ａ）第１状態の切換ダンパにおける空気の流れを示す模式図。
（ｂ）第２状態の切換ダンパにおける空気の流れを示す模式図。
【図９】第３状態の切換ダンパを示す模式図。
【図１０】制御部ブロック図。
【図１１】（ａ）給気運転時の加湿給排気ユニット内の空気の流れを示す模式図。
（ｂ）排気運転時の加湿給排気ユニット内の空気の流れを示す模式図。
【符号の説明】
１　　　　　空気調和機
３　　　　　室外機
４　　　　　加湿給排気ユニット（給排気ユニット、排気ユニット）
４０　　　　加湿給排気ユニットケーシング（ケーシング）
４１　　　　吸加湿ロータ（フィルター、加湿部材、減音部）
４３　　　　ラジアルファン組立体（送風装置）
Ｒ１　　　　通過経路（第１通過経路、第２通過経路）
Ｒ２　　　　通過部（通過部、減音部）
【図１】
2004077084.tif 000003
【図２】
2004077084.tif 000004
【図３】
2004077084.tif 000005
【図４】
2004077084.tif 000006
【図５】
2004077084.tif 000007
【図６】
2004077084.tif 000008
【図７】
2004077084.tif 000009
【図８】
2004077084.tif 000010
【図９】
2004077084.tif 000011
【図１０】
2004077084.tif 000012
【図１１】
2004077084.tif 000013